(57)【要約】     【課題】  施工中に表装体が傷付くのを防止でき、表装体が損傷した場合には、簡単に取替えできる水切り材、及びその取付構造を提供する。    【解決手段】  基体１１と表装体１２との２体構成である。基体１１は、建物の土台２と外装板５との間に取付けられる取付部１３と、この取付部１３の下端に設けられた結合部１４とを備える。表装体１２は、雨水案内用傾斜板２２を有する結合部２０と、前垂れ部２１とを備える。基体１１の結合部１４と、表装体１２の結合部２０とは、表装体１２を取替え可能として互に結合される。【選択図】  図１
2005002790.tif 000002
【特許請求の範囲】
【請求項１】
基体と表装体との２体構成で、基体は、建物の土台と外装板との間に取付けられる取付部と、この取付部の下端に設けられた結合部とを備え、表装体は、雨水案内用傾斜板を有する結合部と、前垂れ部とを備え、基体の結合部と表装体の結合部とは、表装体を取替え可能として互に結合されるようになっている建物用水切り材。
【請求項２】
布基礎と土台との間に基礎パッキンが設けられ、土台の前面を覆うように外装板が設けられた建物に取付ける、水切り材の取付構造であって、水切り材は、基体と表装体との２体構成で、基体は、取付部と結合部とを備え、表装体は、結合部と前垂れ部とを備え、基体の結合部と、表装体の結合部とが、表装体を取替え可能として結合される、水切り材の取付け構造。
【発明の詳細な説明】
【技術分野】
【０００１】
この発明は、建物の外装板の下端などに取付ける水切り材、及びその取付構造に関する。
【背景技術】
【０００２】
外装板の壁面を伝って流れてきた雨水を、外方に導いて落下させる為の水切り材は、従来から種々の形状のものが提案実施されている。一般的な形状は、取付部と、雨水案内用の傾斜部と、前垂れ部とが連設された形である。また、ジャバラ状の伸縮部を設けて、傾斜部の位置を自由に変えうるようにした水切り材も提案されている。（特許文献１参照）
【０００３】
【特許文献１】特開平６−５６２２２号公報
【発明の開示】
【発明が解決しようとする課題】
【０００４】
ところが、前記従来のものは、部材が一体で、施工中に水切り材の表面などに傷が付いた時には対応性がないという欠点がある。
【０００５】
本発明は、このような点に鑑み、外面などに傷が付いたような時には、表装体のみを取替え可能な水切り材、及びその取付構造を提供するにある。
【課題を解決するための手段】
【０００６】
本発明の水切り材の技術的手段は、基体と表装体との２体構成で、基体は、建物の土台と外装板との間に取付けられる取付部と、この取付部の下端に設けられた結合部とを備え、表装体は、雨水案内用傾斜板を有する結合部と、前垂れ部とを備え、基体の結合部と表装体の結合部とは、表装体を取替え可能として互に結合されるようになっていることにある。
【０００７】
本発明の水切り材の取付構造の技術的手段は、布基礎と土台との間に基礎パッキンが設けられ、土台の前面を覆うように外装板が設けられた建物に取付ける、水切り材の取付構造であって、水切り材は、基体と表装体との２体構成で、基体は、取付部と結合部とを備え、表装体は、結合部と前垂れ部とを備え、基体の結合部と、表装体の結合部とが、表装体を取替え可能として結合されることにある。
【発明の効果】
【０００８】
本発明の水切り材は、基体と表装体との２体構成であるから、基体のみを先に取付けておき、表装体は工事の最終段階で取つけることができ、工事中に表装体が傷付くのを防止でき、また、表装体が損傷した場合には、簡単に取替えできる。
【０００９】
本発明の水切り材の取付構造は、布基礎と土台との間に基礎パッキンが設けられて、基礎パッキンの無い所が床下換気用の通気間隙となるような建物に取付けることができ、表装体が工事中に傷付くのを防止でき、また、表装体が損傷した場合には、簡単に取替えできる。
【発明を実施するための最良の形態】
【００１０】
本発明の水切り材の実施の形態を、図面の実施例に基づいて説明する。図１には、第１実施例の水切り材１０の取付使用状態が示されている。１は布基礎、２は土台、３は基礎パッキンである。基礎パッキン３は布基礎１と土台２との間の適所に設けられ、基礎パッキン３の無い所が床下換気用の通気間隙４となる。５は外装板で、その下端に水切り材１０が取付けられる。
【００１１】
本発明の水切り材１０は、図２に示されるように、基体１１と表装体１２との２体構成であり、通常は合成樹脂で作られる。基体１１は、建物の土台２に釘止めなどによって固定される取付部１３と、この下端に連設された結合部１４とからなる。この実施例では、結合部１４は挟み付けて支持できるように、２枚の支持板１５、１６で構成され、かつ、支持板の表面には抜け止めの為に凹凸などの係止爪１７、１８が複数個、適当な間隔で設けられている。
【００１２】
表装体１２は、結合部２０と、その前端に連設された前垂れ部２１とからなる。この実施例では、結合部２０は２枚板構成で、その上面の板は、結合時に最上面に位置するようになり、雨水案内用傾斜板２２となる。この傾斜板２２の先端には係止爪２３が設けられていて、この爪２３は前記係止爪１７と選択的に係合する。この実施例では、結合部２０の下面の板は支持板２４で、基体の結合部１４の２枚の支持板１５、１６の間に嵌まり込む。支持板２４には係止爪２５が設けられていて、この爪２５は基体の方の係止爪１８と選択的に係合する。
【００１３】
従って、本発明の水切り材は、先ず、基体１１のみを土台２に取付け、表装体１２は建築工事の最終段階で取付けるようにする。これにより、工事中に表装体１２が傷付くのを防止できる。表装体１２の取付位置は替えることができ、図示例では３段階に調節可能で、図１に示されるように外装板５の位置に合わせて、係止爪の結合位置を変えて、表装体１２の張り出し状態を調節できる。
【００１４】
図３には、第２実施例が示されている。この実施例では、係止爪１７、２３が鉤形になっているので、結合時の固定力が大きい。なお、係止爪１７、２３や１８、２５の形状については、図示例に限定されず、自由に定めることができる。
【００１５】
図４には、第３実施例が示されている。この実施例は、通気壁工法用で、取付部１３に、壁の通気間隙に合致した突壁３０が形成されている。また、この突壁３０には、虫が侵入できないような小さな通気孔３１が多数設けられている。図５の第４実施例は、この突壁３０を、抜差し形式で着脱自在にしたもので、製造や施工の際に便利である。
【００１６】
図６には第５実施例が示されている。この実施例は防鼠板３２を設けたものであり、基体１１の結合部１４の支持板１６に防鼠板３２が一体に形成されている。この防鼠板３２には鼠が通過できない大きさの通気孔３３が多数形成されている。従って、これを用いれば、床下への換気を確保でき、かつ、床下への鼠の侵入を防止できる。図７の第６実施例は、防鼠板３２を抜差し形成で着脱自在にしたものであり、製造や、施工の際に便利である。
【００１７】
本発明は、前記の実施例に限定されるものではなく、特許請求の範囲の記載の範囲内で自由に変形実施可能である。特に、結合部の構造や、係止爪の形状は自由である。
【図面の簡単な説明】
【００１８】
【図１】第１実施例の使用状態の断面図。
【図２】分離状態の断面図。
【図３】第２実施例の断面図。
【図４】第３実施例の使用状態の断面図。
【図５】第４実施例の使用状態の断面図。
【図６】第５実施例の使用状態の断面図。
【図７】第６実施例の使用状態の断面図。
【符号の説明】
【００１９】
１０            水切り材
１１            基体
１２            表装体
１３            取付部
１４            結合部
１５、１６      支持板
１７、１８      係止爪
２０            結合部
２１            前垂れ部
２２            雨水案内用傾斜板
２３、２５      係止爪
２４            支持板
【図１】
2005002790.tif 000003
【図２】
2005002790.tif 000004
【図３】
2005002790.tif 000005
【図４】
2005002790.tif 000006
【図５】
2005002790.tif 000007
【図６】
2005002790.tif 000008
【図７】
2005002790.tif 000009
【手続補正書】
【提出日】平成16年9月10日(2004.9.10)
【手続補正１】
【補正対象書類名】特許請求の範囲
【補正対象項目名】全文
【補正方法】変更
【補正の内容】
【特許請求の範囲】
【請求項１】
基体と表装体との２体構成で、基体は、建物の土台と外装板との間に取付けられる取付部と、この取付部の下端に設けられた結合部とを備え、表装体は、雨水案内用傾斜板を有する結合部と、前垂れ部とを備え、基体の結合部と表装体の結合部とは、表装体を取替え可能として互に結合されるようになっている建物用水切り材。
【請求項２】
基体の下端が、表装体の側へ屈曲されていることを特徴とする請求項１記載の建物用水切り材。
【請求項３】
布基礎と土台との間に基礎パッキンが設けられ、土台の前面を覆うように外装板が設けられた建物に取付ける、水切り材の取付構造であって、水切り材は、基体と表装体との２体構成で、基体は、取付部と、この取付部の下端に設けられた結合部とを備え、かつ、この結合部の下端は前方に向って屈曲させて形成されており、また、表装体は、結合部と、この結合部の前端に連設された前垂れ部とを備え、基体の結合部と、表装体の結合部とが、表装体を取替え可能として前方から結合されており、また、基体が、その下端の屈曲させた部位を布基礎の前面上部に位置させて、取付部が土台と外装板との間に取付けられている、水切り材の取付け構造。
【手続補正２】
【補正対象書類名】明細書
【補正対象項目名】０００６
【補正方法】変更
【補正の内容】
【０００６】
本発明の水切り材の技術的手段は、基体と表装体との２体構成で、基体は、建物の土台と外装板との間に取付けられる取付部と、この取付部の下端に設けられた結合部とを備え、表装体は、雨水案内用傾斜板を有する結合部と、前垂れ部とを備え、基体の結合部と表装体の結合部とは、表装体を取替え可能として互に結合されるようになっていることにある。また、基体の下端を、表装体の側へ屈曲させるようにしてもよい。
【手続補正３】
【補正対象書類名】明細書
【補正対象項目名】０００７
【補正方法】変更
【補正の内容】
【０００７】
本発明の水切り材の取付構造の技術的手段は、布基礎と土台との間に基礎パッキンが設けられ、土台の前面を覆うように外装板が設けられた建物に取付ける、水切り材の取付構造であって、水切り材は、基体と表装体との２体構成で、基体は、取付部と、この取付部の下端に設けられた結合部とを備え、かつ、この結合部の下端は前方に向って屈曲させて形成されており、また、表装体は、結合部と、この結合部の前端に連設された前垂れ部とを備え、基体の結合部と、表装体の結合部とが、表装体を取替え可能として前方から結合されており、また、基体が、その下端の屈曲させた部位を布基礎の前面上部に位置させて、取付部が土台と外装板との間に取付けられていることにある。